(57)【要約】【課題】継ぎ目から不可避に侵入する雨水を屋内へ漏水させることなく隠し樋の採用によって、確実に屋外に排水できるようにしてなる嵌合式屋根材、およびそれの接合構造を提案する。【解決手段】一方の屋根材本体とこれに隣接させてつなぎ合わせる他方の屋根材本体とをそれぞれの側縁部に設けられている下ハゼおよび上ハゼを嵌合させることによって隣接配置し接合してなるその屋根材本体の側端部どうしの間に遊休空間を設け、その遊休空間内に、該屋根材本体の長辺側の側縁に沿う断面溝形の隠し樋を取外し可能に配設してなる嵌合式屋根材とこの屋根材の接合構造。【選択図】図１
2020176405.tif 000002
【特許請求の範囲】
【請求項１】
外皮材と内皮材との間に芯材を挟んでなるサンドイッチ構造を有する矩形状屋根材本体の、それぞれの長辺側の縁部に上ハゼもしくは下ハゼを設けてなる嵌合式屋根材であって、
一方の屋根材本体とこれに隣接させてつなぎ合わせる他方の屋根材本体とをそれぞれの側縁部に設けられている前記下ハゼおよび上ハゼを嵌合させることによって接合してなるその屋根材本体の側端部どうしの間に遊休空間を設け、その遊休空間内に、該屋根材本体の長辺側の側縁に沿う断面溝形の隠し樋を配設したことを特徴とする嵌合式屋根材。
【請求項２】
前記隠し樋は、下ハゼ側屋根材本体の側端面を覆う下ハゼ外皮材を前記遊休空間内に向けて折り曲げ突設してなる支持片と、この支持片下に上板部がネジ止め固定される逆コ字状の溝形に成形されたものであって、その遊端部には他方の側壁となる起立堰を有し、かつさらにその延在部が下地材固定部となっていることを特徴とする請求項１に記載の嵌合式屋根材。
【請求項３】
前記隠し樋は、その一部である下地材固定部が上ハゼ側屋根材本体の側端部を欠設して設けられた凹部に収容されるように配置されていることを特徴とする請求項１または２に記載の嵌合式屋根材。
【請求項４】
外皮材と内皮材との間に芯材を挟んでなるサンドイッチ構造を有する矩形状屋根材本体の、それぞれの長辺側の縁部に上ハゼもしくは下ハゼを設けてなる嵌合式屋根材の桁方向への接合に当たり、
一方の屋根材本体とこれに隣接させてつなぎ合わせる他方の屋根材本体とをそれぞれの側縁部に設けられている前記下ハゼおよび上ハゼを嵌合させることによって接合してなる屋根材本体の側端部どうしの間に遊休空間を設け、その遊休空間内に、断面溝形の隠し樋を配設して、上記上ハゼと上記下ハゼとを嵌合させて接合したことを特徴とする嵌合式屋根材の接合構造。
【請求項５】
前記隠し樋は、下ハゼ側の屋根材本体の側端面を覆う外皮材を前記遊休空間内に向けて折り曲げ突設してなる支持片と、この支持片下に上板部がネジ止め固定される逆コ字状の溝形に成形されたものであって、その遊端部は他方の側壁となる起立堰を有し、かつその延在部が下地材固定部となっていることを特徴とする請求項４に記載の嵌合式屋根材の接合構造。
【請求項６】
前記隠し樋は、座面が下地材表面に接していることを特徴とする請求項４または５に記載の嵌合式屋根材の接合構造。
【請求項７】
前記隠し樋は、その一部である下地材固定部が上ハゼ側屋根材本体の側端部を欠設して設けられた凹部に収容されるように配置されていることを特徴とする請求項４〜６のいずれか１に記載の嵌合式屋根材の接合構造。
【発明の詳細な説明】
【技術分野】
【０００１】
本発明は、一般住宅や事務所、マンション、福祉施設、リゾート施設等の屋根に使用される、縦葺きを好適例とする嵌合式屋根材、とくに、断熱材等を芯材としてこれを外皮材と内皮材とで狭持したサンドイッチタイプの嵌合式屋根材と、この嵌合式屋根材を用いる接合構造に関するものである。
【背景技術】
【０００２】
心材を外皮材と内皮材とで狭持したサンドイッチタイプの屋根材は、一枚ものの長尺金属板を成形して使う立平葺き屋根材に比べ、断熱性能が高く、軽量でありながら強い強度、耐久性、消音性を有し、近年、その需要が増加する傾向にある。
【０００３】
かかる嵌合式屋根材は、とくに縦葺き用のものとしては、従来、一方の屋根材の長辺側の端部に設けられた上ハゼを、他方の屋根材の長辺側の端部に設けられた下ハゼに嵌合させることにより、隣接する屋根材どうしを桁方向につなぎ合わせるとともに、屋根材の水上側となる短辺側端部に設けられた上継手と、水下側となる短辺側に設けられた下継手を相互に連携させることにより、屋根材どうしを梁間方向につなぎ合わせる方法が開発されている（特許文献１、２）。
【０００４】
ところで、この種の屋根材は、例えば、上ハゼおよび下ハゼを使っての縦葺きのための嵌合式屋根材の場合、とくに図８（ａ）、（ｂ）に示すように、下ハゼと上ハゼとの嵌合突部における隙間に止水材Ｓを介在させて防水性を付与したものが提案されている。このような構成にすることによって、従来は、上ハゼと下ハゼとの接合部分から屋内に侵入する雨水を防ぐようにしているのである。
【先行技術文献】
【特許文献】
【０００５】
【特許文献１】特開２０１２−１８０７１９号公報
【特許文献２】特開２０１６−２０５１２０号公報
【発明の概要】
【発明が解決しようとする課題】
【０００６】
しかしながら、従来のような防水対策の採用だけでは、激しい豪雨によって軒先付近で水かさが増す場合や、豪雪地帯で施工された屋根に見られる融雪水による“すが洩れ”、即ち屋根上の融雪水が軒先のダムによって蓄積する場合において、雨漏れを発生させるおそれがあった。
【０００７】
そこで、本発明の目的は、屋根材どうしの継ぎ目から不可避に浸入する雨水を屋内へ漏水させることなく確実に屋外に排水できるようにしてなるサンドイッチタイプの嵌合式屋根材、およびその嵌合式屋根材を用いる接合構造を提案することにある。
【課題を解決するための手段】
【０００８】
前述した課題に鑑み、かつ上記目的を実現するために鋭意検討した結果、発明者らは、第一に、外皮材と内皮材との間に芯材を挟んでなるサンドイッチ構造を有する矩形状屋根材本体の、それぞれの長辺側の縁部に上ハゼもしくは下ハゼを設けてなる嵌合式屋根材であって、一方の屋根材本体とこれに隣接させてつなぎ合わせる他方の屋根材本体とをそれぞれの側縁部に設けられている前記下ハゼおよび上ハゼを嵌合させることによって接合してなるその屋根材本体の側端部どうしの間に遊休空間を設け、その遊休空間内に、該屋根材本体の長辺側の側縁に沿う断面溝形の隠し樋を配設したことを特徴とする嵌合式屋根材を要旨構成とする本発明を開発した。
【０００９】
また、第２に係る本発明として、発明者らは、外皮材と内皮材との間に芯材を挟んでなるサンドイッチ構造を有する矩形状屋根材本体の、それぞれの長辺側の縁部に上ハゼもしくは下ハゼを設けてなる嵌合式屋根材の桁方向への接合に当たり、
一方の屋根材本体とこれに隣接させてつなぎ合わせる他方の屋根材本体とをそれぞれの側縁部に設けられている前記下ハゼおよび上ハゼを嵌合させることによって接合してなる屋根材本体の側端部どうしの間に遊休空間を設け、その遊休空間内に、断面溝形の隠し樋を配設して、上記上ハゼと下ハゼとを嵌合させて接合したことを特徴とする嵌合式屋根材の接合構造を提案する。
【００１０】
上記の構成からなる本発明に係る嵌合式屋根材ならびに嵌合式屋根材の接合構造においては、さらに、
（１）前記隠し樋は、下ハゼ側の屋根材本体の側端面を覆う下ハゼ外皮材を前記遊休空間内に向けて折り曲げて突設してなる支持片と、この支持片下に上板部がネジ止め固定される逆コ字状の溝形に成形されたものであって、その遊端部には他方の側壁となる起立堰を有し、かつさらにその延在部が下地材固定部となっていること、
（２）前記隠し樋は、座面が下地材表面に接していること、
（３）前記隠し樋は、その一部である下地材固定部側が上ハゼ側屋根材本体の側端部を欠設して設けられた凹部に収容されるように配置されていること、
が課題解決のための具体的手段として好ましい。
【発明の効果】
【００１１】
本発明によれば、縦葺きのための嵌合式屋根材どうしの接合部にあえて遊休空間を設けて前述した隠し樋を配設することにより、施工後の屋根がたとえ予期できないような豪雨またはすが洩れ状態となり大きな水圧を受けた場合でも接合部において漏れ出た水を、円滑にかつ完全に排水して屋内に洩れるのを防ぐことができるように工夫してなる強固な嵌合式屋根材と、それの接合構造とを提供することができる。
【００１２】
また、本発明によれば、隠し樋の流水容積を大きくすることができるので、溢流したり途中漏水を招くようなことがなく、屋外への完全な排水が可能である。
【図面の簡単な説明】
【００１３】
【図１】本発明に係る嵌合式屋根材の斜視図である。
【図２】本発明に係る嵌合式屋根材について、梁間方向から見た実施形態を示す端面図である。
【図３】本発明に係る嵌合式屋根材の接合構造を示す端面図である。
【図４】図１に示した嵌合式屋根材の短辺どうしを梁間方向につなぎ合わせる様子を示した斜視図である。
【図５】図１に示した嵌合式屋根材の長辺部どうしを桁方向につなぎ合わせる様子を示した斜視図である。
【図６】本発明に係る嵌合式屋根材の複数個をつなぎ合わせる状況を示した斜視図である。
【図７】図１に示した嵌合式屋根材の短辺部どうしを梁間方向につなぎ合わせる状況の一例を示すそれぞれの端面図である。
【図８】（ａ）、（ｂ）は従来の嵌合式屋根材とそのつなぎ合わせ状況を示した端面図である。
【発明を実施するための形態】
【００１４】
以下、図面を参照して本発明をより具体的に説明する。
図１は、本発明に係る嵌合式屋根材の斜視図であり、図２は、図１に示した嵌合式屋根材を梁間方向から見たときの端面図である。図３は、嵌合式屋根材の接合構造を示す端面図であり、図４は、嵌合式屋根材の短辺部どうしを梁間方向につなぎ合わせる様子を、そして図５は、嵌合式屋根材の長辺部どうしを桁方向につなぎ合わせる様子をそれぞれ示した斜視図である。
【００１５】
本発明に係る嵌合式屋根材は、矩形状本体長辺側に形成される雌雄のハゼ形状と、短辺側に形成される継手形状の違いを除いて略同じ構成からなるものを用い、これらを梁間方向ならびに桁方向につなぎ合わせて縦葺き屋根とすることを前提としており、その特徴とする構成は、本来は密接させるべき隣接配置する一対の屋根材の長辺側の相互間に、あえて遊休空間を設けてそこに隠し樋を配置するようにしたことにある。以下にその構成の詳細を説明する。
【００１６】
本発明において、前記屋根材の本体部分（屋根材本体）は、矩形状のサンドイッチパネルを用いることを前提としており、例えば芯材を挟む両面、即ち、外皮材としては、厚さ０．２〜１．０ｍｍ程度の亜鉛めっき鋼板、アルミニウム亜鉛合金めっき鋼板、銅板、アルミニウム板、ステンレス鋼板あるいは、それらの塗装または被覆鋼板等が用いられる。また、内皮材としては、前記外皮材と同一素材でもよいが、表面にアルミニウム箔を貼着したクラフト紙などを用いることができる。そして、前記芯材としては、厚さ１０〜１００ｍｍ程度の、ウレタンフォームやフェノールフォーム、ポリイソシアヌレートフォームなどの発泡性プラスチックあるいは鉱物繊維系断熱材が用いられる。
【００１７】
図１〜図６における符号１は、屋根材本体である。この屋根材本体１は、梁間方向に沿って延伸する一対の長辺部と、これら長辺部を挟んで桁方向に沿って延伸する一対の短辺部によって区画された、全体として矩形状をなす輪郭形状を有している。
【００１８】
また、図示の符号２は、屋根材本体１の長辺縁部１ａに一体に連設されているものであって、桁方向の一方に隣接配置する別の屋根材の下ハゼに嵌合させて屋根材どうしを接合するための上ハゼである。
【００１９】
この上ハゼ２は、長辺縁部１ａから立ち上がる傾斜側板２ａと、この傾斜側板２ａの上端に係止顎部ｔ１を介してつながるとともに、桁方向に隣接配置する別の屋根材の下ハゼに嵌合可能な内部空間を有する先細り形状をなすドーム型の頭部２ｂと、この頭部２ｂに係止顎部ｔ２を経て垂下、保持され、傾斜側板２ａとの相互間にて下開き開口を形成する傾斜側板２ｃとから構成されている。この上ハゼ２はまた、頭部２ｂの側壁に長辺縁部１ａに沿って延伸する凹部を設けることが可能である。このような構成とすることにより、桁方向に隣接配置する別の屋根材の下ハゼに嵌合させた際に、その相互間で面接触するのを避けて雨水等の侵入を防止することができるようにしてもよい。
【００２０】
一方、図示の符号３は、屋根材本体１の長辺縁部１ｂに一体に連設されているものであって、桁方向に隣接配置する別の屋根材の上ハゼ２に嵌合させて屋根材どうしを接続するための下ハゼである。
【００２１】
この下ハゼ３は、長辺縁部１ｂから垂直に立ち上がる側板３ａと、この側板３ａの上端に係止顎部ｔ３を介してつながるとともに、桁方向に隣接配置する他の屋根材の上ハゼ２に嵌合可能な先細り形状をなすドーム型の頭部３ｂと、この頭部３ｂに係止顎部ｔ４を介して該屋根材本体（芯材）の側端面に沿って下方に垂下形成された溝壁板３ｃが設けられ、上記側板３ａとの相互間に形成される開口を通じて芯材と同一の断熱材等が充填される。
【００２２】
なお、前記係止顎部ｔ１と前記係止顎部ｔ２とは互いに逆向きに突出していて、両者でもって嵌合させたハゼの抜けを防止する。また、係止顎部ｔ３と係止顎部ｔ４とは、上記の係止顎部ｔ１、係止顎部ｔ２と同様に、相互に逆向きになっており、両者でもって嵌合させるハゼどうしの抜けを防止する。
【００２３】
なお、図示の符号４は、屋根材本体１の水上側となる短辺部１ｃに設けられる既知の各種構造が付与される下継手である。この下継手４は、屋根材本体１の外表面と面一でつながり、かつ、水上側に隣接配置する他の屋根材の短辺部１ｄの下側において重ね合わさるものである。また、この下継手４の幅寸法は、水上側に隣接配置する他の屋根材とのつなぎ合わせに際して相互に確実に重ね合わせることができるように、水上側に隣接配置する他の屋根材の屋根材本体の幅寸法（実際には上継手の幅寸法）よりも若干広くなっている。
【００２４】
また、図示の符号５は、屋根材本体１のもう一方の短辺部１ｄに設けられた上継手（屋根の水下側に配置される）である。この上継手５は、屋根材本体１と面一状態でつながるように、水下側に隣接配置する他の屋根材の短縁部（下継手に相当する部分）の上側において重ね合わさるものである。
【００２５】
なお、図７は、上記の構成からなる嵌合式屋根材の二枚につき、それら屋根材のうちの一方の屋根材（水下側に配置された他の屋根材）の下継手４と、もう一方の屋根材（水上側に配置された屋根材）の上継手５をそれぞれ相互に重ね合わせてつなぎ合わせるべくその直前の状態を示した相互の端面図である。
【００２６】
例えば、第一の板状体５ａ先端縁に垂下係止片５ｂを設け、板状体４ａの起立係止片４ｂを設けることにより、屋根材同士を梁間方向につなぎ合わせる際に、下継手４の起立係止片４ｂを、水上側に隣接配置する他の屋根材の上継手５の第一の板状体５ａによる押圧で板状体４ａに向け折り返し（１８０°曲げ）、そして、上継手５の垂下系止片５ｂを、水下側において隣接配置する他の屋根材の下継手４の板状体４ａによる押圧で第一の板状体５ａに向けて折り返し（１８０°曲げ）、このような成形方法により両屋根材を相互に引き抜け不能に連係することが推奨される。
【００２７】
そして、前記起立係止片４ｂの、板状体４ａの外表面とのなす角度θ１は、予め０超〜４５°好ましくは１０〜２０°程度に、また、垂下係止片５ｂの、第一の板状体５ａの裏面とのなす角度θ２は０超〜４５°好ましくは３５〜４５°程度にするのがよく、これによれば、屋根材同士を接続する際に、大きな力を要することなしに起立係止片４ｂ、垂下係止辺５ｂを折り返すことが可能となり、比較的簡単な作業で屋根を効率的に葺あげることができる（なお、初めから起立係止片４ｂを折り返しておくと、起立係止片４ｂと垂下係止辺５ｂとを引掛ける作業が困難となる場合があるうえ、屋根材の表面処理層に傷を付けてしまうおそれがある。
【００２８】
次に、図示の符号６は、屋根材本体１の厚み方向の中央部を占める芯材であり、７は、芯材６の下地材（野地板、母屋等）側を支える内皮材であり、そして、図示の符号８は、屋根材本体１の外表面、即ち芯材６の外表面を覆う外皮材である。なお、内皮材７としては、例えば、表面にアルミ箔が付けられたクラフト紙あるいは屋根材本体と同等の材質、厚さからなるものなどが用いられる。
【００２９】
前記上ハゼ２および下ハゼ３の嵌合に際し、この両者の頭部２ｂ、３ｂに生じる隙間部分には、図８（ａ）、（ｂ）に示すような止水材Ｓ等を介在させて防水性を付与してもよく、この場合においても本発明に従う後述する隠し樋１０はもちろん有効に機能するものである。
【００３０】
本発明の特徴的な構成は、前述したように、梁間方向に沿って延伸する一対の長辺縁部１ａ、１ｂと、桁方向に沿って延伸する一対の短辺部１ｃ、１ｄとによって区画された輪郭形状を有する屋根材本体１と、各長辺縁部１ａ、１ｂそれぞれに沿って一体に連設された上ハゼ２、下ハゼ３とを備え、該各短辺部１ｃ、１ｄを、該屋根材本体の水下側、水上側にそれぞれ隣接配置する他の屋根材の短辺部１ｃ、１ｄに重ね合わせて屋根材どうしを梁間方向へ接続する一方、各長辺縁部１ａ、１ｂに設けた前記上ハゼ２、下ハゼ３を、桁方向に隣接配置する別の屋根材の下ハゼ３、上ハゼ２にそれぞれ嵌合させて屋根材どうしを桁方向へ接続することにより、建築構造物の屋根を葺きあげる嵌合式屋根材において、
その隣接配置される各屋根材本体１の突き合わせるべき側端部どうしの間に、あえて遊休空間９を設けて、外からは見えないように設けられたその遊休空間９内に、該屋根材本体の長辺縁部１ａ、１ｂに沿わせて断面溝形の隠し樋１０を配設したことにある。
【００３１】
その隠し樋１０の構成としては、芯材６の前記遊休空間９に面する下ハゼ３側の芯材側端面を覆う前記外皮材８の遊端部をまず外方（前記遊休空間側）に折り曲げて支持片８ａを突設し、該支持片８ａに対しその直下にネジ止め構造とすることによって取外し可能に固定支持される逆コ字状の溝形に成形したものを好適例とする。即ち、この溝形（箱型）に成形された隠し樋１０は、溝形本体部分の他に前記支持片８ａの下面に接する上板部１０ｃが設けられていてこの部分がネジ止め固定される一方で、その溝形本体の遊端部は折り起こされて一体に立設された起立堰１０ａが設けられており、さらにその延在部分には該隠し樋１０を下地材に固定（ネジ止め）するための下地材固定部１０ｂが連設され、上下ともにしっかりと固定される。なお、これらの構成部分はいずれも遊休空間９内に収まり、その一部は上ハゼ２側の芯材６の側端の一部を切り欠くことで得られる凹部１１内に収容することが好ましい実施形態の１つである。
【００３２】
即ち、この隠し樋１０は、桁方向に連結配置される隣り合う屋根材本体１どうしの両側端部どうしの間に、外部からは見えないように形成されている前記遊休空間９内に取外し可能に配設されるものであるが、その大部分とくに前記起立堰１０ａや下地材固定部１０ｂは、下ハゼ３側の屋根材本体１の側端面と、前記上ハゼ２側屋根材本体側端部（芯材部分）の一部を切り欠いて形成された凹部１１内に収まるように設けられる。
【００３３】
なお、この隠し樋１０の底面すなわち座面は、芯材６が全幅にわたってサンドイッチされていることもあり、屋根材本体底面（内皮材）と同一レベルにあって下地材に接するように配設する。
【００３４】
次に、図４は、本発明にしたがう嵌合式屋根材を用いて屋根葺き接合する模様を例示するものであり、水下側、水上側にそれぞれ隣接配置する一対の嵌合式屋根材の短辺部１ｃ、１ｄどうしを梁間方向につなぎ合わせる模様を示した図である。
また、図５は、本発明にしたがう一対の嵌合式屋根材を桁方向に隣接配置するために、一対の嵌合式屋根材の長辺側どうしを上ハゼ２、下ハゼ３を介してつなぎ合わせる模様の一部分について示した図である。
【００３５】
そして、図６は、本発明にしたがう嵌合式屋根材を複数枚用いて建築構造物の屋根を葺きあげる場合の一例を部分的に示した図である（芯材６、内皮材７の図示は省略）。
【００３６】
この図６において、屋根材の配置手順としては、まず、野地板に二次防水紙のアスファルトルーフィングを敷設し、屋根材の働き幅に合わせて割付け、墨出しを行い、軒先に軒先水切りを取付けたのち（図示せず）、屋根の「けらば」の軒から墨出しに合わせて一列・一段目の屋根材を設置し、その屋根材の下ハゼ３、下継手４をそれぞれに所定間隔でもってビスをねじ込むか、あるいは釘等を打ち付けて野地板、母屋等に固定する。
【００３７】
次に、一列・二段目の屋根材（隣接配置する他の屋根材）を、既に固定された一列・一段目の水上側（棟側）に配置して屋根材どうしを接合する。一列・一段目の屋根材と一列・二段目の屋根材とを接合するには、一列・二段目の屋根材の上継手５を、一列・一段目の屋根材の下継手４に重ね合わせるべく、上継手５のハゼ２、３を、下継手４側のそれぞれのハゼ２、３に、嵌合させればよい。上記の接合作業は、屋根の棟に達するまで繰り返し行ない（梁間方向の接合）、一列目の接続作業を終えたならば、二列目の屋根材についても同様の作業を繰返して二列目以降の屋根材の接合作業を一列目の屋根材と同様にして屋根の棟に達するまで繰返す。
【００３８】
この作業に当たって重要なことは、隠し樋長さを屋根材の有効長よりも僅かに長く製作し、梁間方向につなげる前記隠し樋が面一状態で順次に接続されて、軒先の雨樋に排水できるように接合していくことが重要である。
【産業上の利用可能性】
【００３９】
本発明によれば、前述した実施形態に係る嵌合式屋根材のみならず、遊休空間を形成できる嵌合式屋根材であればいずれのタイプの屋根材にも適用が可能である。
【符号の説明】
【００４０】
１      屋根材本体
１ａ    長辺縁部
１ｂ    長辺縁部
１ｃ    短辺部
１ｄ    短辺部
２      上ハゼ
２ａ    傾斜側板
２ｂ    頭部
２ｃ    傾斜側板
３      下ハゼ
３ａ    側板
３ｂ    頭部
３ｃ    溝壁板
４      下継手
４ａ    板状体
４ｂ    起立係止片
５      上継手
５ａ    板状体
５ｂ    垂下係止片
６      芯材
７      内皮材
８      外皮材
８ａ    支持片
９      遊休空間
１０    隠し樋
１０ａ  起立堰
１０ｂ  下地材固定部
１０ｃ  上板部
１１    凹部
【図１】
2020176405.tif 000003
【図２】
2020176405.tif 000004
【図３】
2020176405.tif 000005
【図４】
2020176405.tif 000006
【図５】
2020176405.tif 000007
【図６】
2020176405.tif 000008
【図７】
2020176405.tif 000009
【図８】
2020176405.tif 000010